(57)【要約】【課題】本発明は、単一の表示体を独立の結合部材または該表示体と一体となった結合部材により、複数枚簡易的な方法で結合させ、全て紙製から作製され一般的な紙器加工技術で容易に対応でき、部材価格も安価で、廃棄処理が容易でエコロジー適性もよく、組み立ても解体も簡単で積み木感覚で組み立て解体ができるので何度もリサイクルできる汎用性のある大型のフロアースタンドパネルを提供する。【解決手段】複数の板状表示体Ａを結合させてなるフロアースタンドパネルにおいて、前記板状表示体Ａが該表示体Ａの裏面に備えた結合用係止部３に係止される結合部材Ｂにより結合され、該表示体Ａの最下部に脚部Ｃが取り付けられていることを特徴とするフロアースタンドパネル。【選択図】図２
2004219798.tif 000002
【特許請求の範囲】
【請求項１】
複数の板状表示体を結合させてなるフロアースタンドパネルにおいて、前記板状表示体が該表示体の裏面に備えた結合用係止部に係止される結合部材により結合され、該表示体の最下部に脚部が取り付けられていることを特徴とするフロアースタンドパネル。
【請求項２】
複数の箱状表示体を結合させてなるフロアースタンドパネルにおいて、前記箱状表示体が該表示体の下部に備えた結合用係止部と他の表示体の上部に備える結合用係止部とに係止される結合部材により結合され、該表示体の最下部に脚部が取り付けられていることを特徴とするフロアースタンドパネル。
【請求項３】
複数の箱状表示体を結合させてなるフロアースタンドパネルにおいて、前記箱状表示体が該表示体の下部に備えた結合用係止部に係止される他の表示体の上部に備える結合部材により結合され、該表示体の最下部に脚部が取り付けられていることを特徴とするフロアースタンドパネル。
【請求項４】
前記板状表示体は所定の幅と長さを有する板状物であり、該表示体の裏面に備えた結合用係止部と該係止部に係止させるためにコの字型形状をした連結部材に各々の支持体が連結して形成されている結合部材により結合され、該表示体の最下部に脚部が取り付けられていることを特徴とする請求項１記載のフロアースタンドパネル。
【請求項５】
前記箱状表示体は所定の幅と長さを有する板状物に罫線を施し、該罫線を介して折り曲げ、３次元形状に形成してなる箱状物であり、該表示体の下部に備えた結合用係止部と他の表示体の上部に備える結合用係止部とに係止される所定の幅と長さを有する罫線を施したシート状の結合部材により結合され、該表示体の最下部に脚部が取り付けられていることを特徴とする請求項２記載のフロアースタンドパネル。
【請求項６】
前記箱状表示体は所定の幅と長さを有する板状物に罫線を施し、該罫線を介して折り曲げ、３次元形状に形成してなる箱状物であり、該表示体の下部に備えた結合用係止部に係止される他の表示体の上部に備える該表示体に一体化された枠状物の結合部材により結合され、該表示体の最下部に脚部が取り付けられていることを特徴とする請求項３記載のフロアースタンドパネル。
【請求項７】
前記箱状表示体は所定の幅と長さを有する板状物に罫線を施し、該罫線を介して折り曲げ、３次元形状に形成してなる箱状物であり、該表示体の下部に備えた結合用係止部に係止される他の表示体の上部に備える該表示体に独立した枠状物を設けてなる結合部材により結合され、該表示体の最下部に脚部が取り付けられていることを特徴とする請求項３記載のフロアースタンドパネル。
【請求項８】
前記表示体は紙又はダンボールからなることを特徴とする請求項１乃至７のいずれか１項記載のフロアースタンドパネル。
【請求項９】
前記結合部材は紙又はダンボールからなることを特徴とする請求項１乃至７のいずれか１項記載のフロアースタンドパネル。
【発明の詳細な説明】
【０００１】
【発明の属する技術分野】
本発明は、複数の表示体を結合させてなるフロアースタンドパネルに関するものであり、さらに詳しくは単一の表示体を複数枚、独立部材または表示体と一体となった部材からなる結合部材を用いて作製する大型展示用パネルであるフロアースタンドパネルに関するものである。
【０００２】
【従来の技術】
従来の宣伝広告用の展示用パネルは、消費者へのアピール効果のインパクトを高めるために大型化の傾向にあり、そのパネルを支持する支持パイプや支柱などの支持具も相当数必要になり、また組み立て作業の手間もかかり、且つ組み立てを行うスペースも広いスペースが必要となり、非常に製作コストもかかり採算性にも問題がある。
【０００３】
このような問題の解決策として、紙管、鉄パイプ、支柱等の支持用具を用いず、例えば、紙、ダンボールなどのシート状部材から作製した小さなパネル単体（単一の表示体）を板紙、ダンボール、プラスチック成形品等からなる独立のコネクタ（連結具）を用いてパネル単体を複数枚連結し上下、左右に大きなスペースを持った展示用パネルを作製する方法が公知となっている。（例えば、特許文献１参照）
【０００４】
しかしながら、特許文献１の実施例にも明記されているように、そのコネクタはプラスチック材料や金属材料を使用し作製している。
【０００５】
更に、コネクタの中間部分がヒンジ結合された他の実施例のコネクタは、実際の製造面では、コネクタ本体が硬質プラスチック材料を用いて、ヒンジ部位は軟質のプラスチック材料を用いて成形する必要がある。
【０００６】
以上のようにこの特許文献１の方法では、パネル単体を複数枚連結するために、必ず独立したコネクタが必要で予め準備する必要があり、そのコネクタを作製する方法がプラスチック成形技術や金属成形技術で行うため成形金型の作製費用もかかり製造コストが高くなり、コネクタの種類によっては硬質と軟質のプラスチック樹脂を使い分けする必要もあり実質的にはかなりの高度な成形技術が必要であり、またプラスチック材料や金属材料を使用するので処分時の廃棄処理が容易でない問題も発生するなど汎用性のないパネル接続用コネクタを用いた展示用パネルである。
【０００７】
【特許文献１】
特公昭６３−１３５４６号公報
【０００８】
【発明が解決しようとする課題】
本発明は係る従来技術の問題点を解決しようとするものであり、単一の表示体を独立の結合部材または該表示体と一体となった結合部材により、複数枚簡易的な方法で結合させ、安価で易廃棄処理性の優れたエコロジー対応型の大型展示用パネルであるフロアースタンドパネルを提供する。
【０００９】
【課題を解決するための手段】
本発明は、上記のような課題を解決するためになされたもので、本発明の請求項１に係る発明は、複数の板状表示体Ａを結合させてなるフロアースタンドパネルにおいて、前記板状表示体Ａが該表示体Ａの裏面に備えた結合用係止部３に係止される結合部材Ｂにより結合され、該表示体Ａの最下部に脚部Ｃが取り付けられていることを特徴とするフロアースタンドパネルである。
【００１０】
本発明の請求項２に係る発明は、複数の箱状表示体Ａを結合させてなるフロアースタンドパネルにおいて、前記箱状表示体Ａが該表示体Ａの下部に備えた結合用係止部３と他の表示体Ａの上部に備える結合用係止部３とに係止される結合部材Ｂにより結合され、該表示体Ａの最下部に脚部Ｃが取り付けられていることを特徴とするフロアースタンドパネルである。
【００１１】
本発明の請求項３に係る発明は、複数の箱状表示体Ａを結合させてなるフロアースタンドパネルにおいて、前記箱状表示体Ａが該表示体Ａの下部に備えた結合用係止部３に係止される他の表示体Ａの上部に備える結合部材Ｂにより結合され、該表示体Ａの最下部に脚部Ｃが取り付けられていることを特徴とするフロアースタンドパネルである。
【００１２】
本発明の請求項４に係る発明は、請求項１記載のフロアースタンドパネルにおいて、前記板状表示体Ａは所定の幅と長さを有する板状物であり、該表示体Ａの裏面に備えた結合用係止部３と該係止部３に係止させるためにコの字型形状をした連結部材１に各々の支持体２、２が連結して形成されている結合部材Ｂにより結合され、該表示体Ａの最下部に脚部Ｃが取り付けられていることを特徴とするフロアースタンドパネルである。
【００１３】
本発明の請求項５に係る発明は、請求項２記載のフロアースタンドパネルにおいて、前記箱状表示体Ａは所定の幅と長さを有する板状物に罫線を施し、該罫線を介して折り曲げ、３次元形状に形成してなる箱状物であり、該表示体Ａの下部に備えた結合用係止部３と他の表示体Ａの上部に備える結合用係止部３とに係止される所定の幅と長さを有する罫線を施したシート状の結合部材Ｂにより結合され、該表示体Ａの最下部に脚部Ｃが取り付けられていることを特徴とするフロアースタンドパネルである。
【００１４】
本発明の請求項６に係る発明は、請求項３記載のフロアースタンドパネルにおいて、前記箱状表示体Ａは所定の幅と長さを有する板状物に罫線を施し、該罫線を介して折り曲げ、３次元形状に形成してなる箱状物であり、該表示体Ａの下部に備えた結合用係止部３に係止される他の表示体Ａの上部に備える該表示体Ａに一体化された枠状物の結合部材Ｂにより結合され、該表示体Ａの最下部に脚部Ｃが取り付けられていることを特徴とするフロアースタンドパネルである。
【００１５】
本発明の請求項７に係る発明は、請求項３記載のフロアースタンドパネルにおいて、前記箱状表示体Ａは所定の幅と長さを有する板状物に罫線を施し、該罫線を介して折り曲げ、３次元形状に形成してなる箱状物であり、該表示体Ａの下部に備えた結合用係止部３に係止される他の表示体Ａの上部に備える該表示体Ａに独立した枠状物を設けてなる結合部材Ｂにより結合され、該表示体Ａの最下部に脚部Ｃが取り付けられていることを特徴とするフロアースタンドパネルである。
【００１６】
本発明の請求項８に係る発明は、請求項１乃至７のいずれか１項記載のフロアースタンドパネルにおいて、前記表示体Ａは紙又はダンボールからなることを特徴とするフロアースタンドパネルである。
【００１７】
本発明の請求項９に係る発明は、請求項１乃至７のいずれか１項記載のフロアースタンドパネルにおいて、前記結合部材Ｂは紙又はダンボールからなることを特徴とするフロアースタンドパネルである。
【００１８】
【発明の実施の形態】
本発明の実施の形態を図１から図３１に基づいて詳細に説明する。
【００１９】
図１は、本発明に係る板状物の表示体Ａ同士を結合したフロアースタンドパネルの第１実施例を示す斜視図であり、図２は、図１のＸ−Ｘ側断面図であり、図３は、本発明に係る結合部材Ｂの第１実施例を示す斜視図であり、図４は、本発明に係る係止部３を備えた表示体Ａの第１実施例を示す斜視図であり、図５は、本発明に係る表示体Ａの第２実施例を示す斜視図であり、図６は、図５の展開図であり、図７は、本発明に係る表示体Ａにおいて図５と異なるフラップ形態を備えた第３実施例を示す斜視図であり、図８は、図７の展開図であり、図９は、本発明に係る表示体Ａの第４実施例を示す斜視図であり、図１０は、図９の展開図であり、図１１は、本発明に係る表示体Ａにおいて図９と異なるフラップ形態を備えた第５実施例を示す斜視図であり、図１２は、図１１の展開図であり、図１３は、本発明に係る結合部材Ｂの第２、第３、第４、第５実施例を示す展開図であり、図１４は、図１３の斜視図であり、図１５は、本発明に係る表示体Ａ同士を結合部材Ｂにより組み立てる状態を示す第２実施例及び第３実施例の斜視図であり、図１６は、本発明に係る表示体Ａ同士を結合部材Ｂにより組み立てる状態を示す第４実施例及び第５実施例の斜視図であり、図１７は、図１３の改良型を示す第６実施例の斜視図であり、図１８は、図１７の側断面図であり、図１９は、本発明に係る結合部材Ｂの第７実施例を示す展開図であり、図２０は、図１９を組み立てた斜視図であり、図２１は、本発明に係る表示体Ａを結合部材Ｂにより組み立てる状態を示す第７実施例の斜視図であり、図２２は、本発明に係る表示体Ａ同士が該表示体Ａに一体化された枠状物の結合部材Ｂにより結合される寸前の状態を示す第８実施例の斜視図であり、図２３は、図２２の展開図であり、図２４は、本発明に係る表示体Ａに独立した１対の枠状物からなる結合部材Ｂを取り付けた状態を示す第９実施例の斜視図であり、図２５（イ）及び図２５（ロ）は、図２４の１対の枠状物の第９実施例の展開図であり、図２６は、本発明に係る表示体Ａに独立した１対の枠状物からなる結合部材Ｂを取り付けた状態を示す第１０実施例の斜視図であり、図２７（イ）及び図２７（ロ）は、図２６の１対の枠状物の第１０実施例の展開図であり、図２８は、本発明に係る表示体Ａ同士が該表示体Ａに一体化された枠状物の結合部材Ｂにより結合される寸前の状態を示す第１１実施例の斜視図であり、図２９（イ）及び図２９（ロ）は図２８の正面図と側面図であり、図３０は、図２８の展開図であり、図３１は、本発明に係る箱状物の表示体Ａ同士を結合し、脚部Ｃを取り付けたフロアースタンドパネルを示す第２実施例乃至第５実施例の斜視図である。
【００２０】
図１及び図２に示すように複数の表示体Ａを結合させてなるフロアースタンドパネルにおいて、表示体Ａ同士が独立した部材からなる結合部材Ｂにより結合して形成されている。
【００２１】
図４に示すように、表示体Ａは所定の幅と長さを有する紙又はダンボールからなる板状物であり、その板状物の厚みは、紙の場合は坪量が大きい板紙、或いは合紙、ダンボールの場合はＡフルート、Ｂフルート、Ｃフルート、Ｅフルートのいずれかの両面ダンボールでよく、フロアースタンドパネルに必要な強度、そのパネル面が温度や湿度の変化によりわんきょくが起こらない物性を有すれば制約されるものではない。
【００２２】
該パネルの表面に直接オフセット印刷方式やシルクスクリーン印刷方式などにより、文字や絵柄などを印刷し、宣伝広告などのフロアースタンドパネルを作製する場合は、板紙の場合、印刷面となる表面側はクレイコートした平滑性のあるコートマニラボール、コートボール、コートカードなどを使用するのが好ましい。
【００２３】
同様にダンボールの場合は、中芯にＡフルート、Ｂフルート、Ｃフルート、Ｅフルートのいずれかのフルートを用いて、表ライナーは印刷適性をもった平滑性のある紙からなるライナーを使用し、裏ライナーと接着剤で貼り合わせた両面ダンボールを使用することができる。
【００２４】
該表示体Ａは係止部３を備えており、該係止部３の形状は係止機能があれば特に制約されないが、板紙やダンボールに罫線を施し、折り曲げることで作製することができる取っ手形状であることが好ましい。
【００２５】
図３に示すように結合部材Ｂは前記表示体の係止部３に係止させるために連結部材１に各々の支持体２、２が連結して形成されている。
【００２６】
該連結部材１の形状は、各々の支持体２、２を連結する機能があれば特に制約されないが、板紙やダンボールに罫線を施し、折り曲げることで作製することができるコの字型形状であることが好ましい。
【００２７】
図２に示すように板状物の複数の表示体Ａ同士は、該表示体Ａの係止部３と結合部材Ｂにより結合し、更に脚部Ｃを結合してフロアースタンドパネルが形成されている。
【００２８】
該脚部Ｃの形状は立脚する機能があれば特に制約されないが、最下部のパネルと差込み形式で結合できる形態が好ましい。
【００２９】
該表示体Ａの係止部３、結合部材Ｂ、脚部Ｃは廃棄処理が容易な紙又はダンボールからなる板状物で作製される。
【００３０】
該板状物は板紙の場合、ノンコートボール、コートマニラボール、コートボール、コートカードなどを使用することができるが、価格面からノンコートボール、或いはその合紙を使用することが好ましい。
【００３１】
同様にダンボールの場合は、Ａフルート、Ｂフルート、Ｃフルート、Ｅフルートのいずれかのフルートを用いた両面ダンボールを使用することができるが厚みなどを考慮してＢフルートの両面ダンボールが好ましい。
【００３２】
表示体Ａと該表示体Ａの係止部３との接合や各々の支持体２、２と連結部材１との接合は、公知の合成樹脂系接着剤などを使用して貼り合わせるかビスなどで接合してもよい。
【００３３】
次に、図５から図１２に示すように、表示体Ａは所定の幅と長さを有する板状物に罫線を施し、該罫線を介して折り曲げ、３次元形状に形成してなる箱状物である。
【００３４】
図５から図８に示す、表示体Ａは所定の幅と長さを有する板状物に罫線を施し、該罫線を介して折り曲げ、３次元形状に形成してなる上部フラップだけを備えた箱状物である。
【００３５】
図６に示すように、該表示体Ａの展開物は、該裏面部７に第１側面部８を第１縦罫線ａを介して連接し、該第１側面部８に正面部９を第２縦罫線ｂを介して連接し、該正面部９に第２側面部１０を第３縦罫線ｃを介して連接し、該第２側面部１０に糊代部１１を第４縦罫線ｄを介して連接した。
【００３６】
更に、該裏面部７の上方に第１折込片５を第１横罫線ｅを介して連接し、該第１折込片５に凸部５ａと段差部５ｂを形成し、該正面部９の上方に第２折込片６を第２横罫線ｆを介して連接し、該第２折込片６に凸部６ａと段差部６ｂを形成した。
【００３７】
該表示体Ａの展開物をサック貼機でアクリル系エマルジョン合成樹脂接着剤を糊代部１１に塗布し、図５に示す箱状物の形態にして、対向する第１・第２折込片５、６に設けられた凸部５ａ、６ａと段差部５ｂ、６ｂとを相互に対向させ、該第１折込片５と該第２折込片６を折り込むことにより、凸部５ａと段差部６ｂ及び凸部６ａと段差部５ｂとが各々係合してこの部位に上面部を形成し表示体Ａを作製した。
【００３８】
図８に示すように、該表示体Ａの展開物は、該裏面部７に第１側面部８を第１縦罫線ａを介して連接し、該第１側面部８に正面部９を第２縦罫線ｂを介して連接し、該正面部９に第２側面部１０を第３縦罫線ｃを介して連接し、該第２側面部１０に糊代部１１が第４縦罫線ｄを介して連接した。
【００３９】
更に、該裏面部７の上方に第１折込片１２を第１横罫線ｅを介して連接し、該第１折込片１２の左右に凸部１２ａ、１２ａと該凸部１２ａ、１２ａの中間に凹部１２ｂを有する凹型形状部１４を形成し、該正面部９の上方に第２折込片１３を第２横罫線ｆを介して連接し、該第２折込片１３の左右に段差部１３ｂ、１３ｂと該段差部１３ｂ、１３ｂの中間に凸部１３ａを有する凸型形状部１５を形成した。
【００４０】
該表示体Ａの展開物をサック貼機でアクリル系エマルジョン合成樹脂接着剤を糊代部１１に塗布し、図７に示す箱状物の形態にして、対向する第１・第２折込片１２、１３に設けられた前記凹型形状部１４と凸型形状部１５とを相互に対向させ該凹型形状部１４と凸型形状部１５を折り込むことにより、該凹型形状部１４と該凸型形状部１５とが係合してこの部位に上面部を形成し表示体Ａを作製した。
【００４１】
次に、図９から図１２に示すように表示体Ａは所定の幅と長さを有する紙又はダンボ−ルからなる板状物に罫線を施し、該罫線を介して折り曲げ、３次元形状に形成してなる上部及び下部にフラップを備えた箱状物を使用する。
【００４２】
図１０に示すように、該表示体Ａの展開物は、該裏面部７に第１側面部８を第１縦罫線ａを介して連接し、該第１側面部８に正面部９を第２縦罫線ｂを介して連接し、該正面部９に第２側面部１０を第３縦罫線ｃを介して連接し、該第２側面部１０に糊代部１１を第４縦罫線ｄを介して連接した。
【００４３】
更に、該裏面部７の上下に第１折込片５、５′を第１横罫線ｅ、ｅ′を介して連接し、該第１折込片５、５′に凸部５ａ、５ａ′と段差部５ｂ、５ｂ′を形成し、該正面部９の上下に第２折込片６、６′を第２横罫線ｆ、ｆ′を介して連接し、該第２折込片６、６′に凸部６ａ、６ａ′と段差部６ｂ、６ｂ′を形成した。
【００４４】
該表示体Ａの展開物をサック貼機でアクリル系エマルジョン合成樹脂接着剤を糊代部１１に塗布し、図９に示す箱状物の形態にして、対向する第１・第２折込片５、６に設けられた凸部５ａ、６ａと段差部５ｂ、６ｂ及び第１・第２折込片５′、６′に設けられた凸部５ａ′、６ａ′と段差部５ｂ′、６ｂ′とを相互に対向させ、該第１折込片５と該第２折込片６、及び該第１折込片５′と該第２折込片６を折り込むことにより、凸部５ａと段差部６ｂ及び凸部６ａと段差部５ｂとが各々係合し、更に凸部５ａ′と段差部６ｂ′及び凸部６ａ′と段差部５ｂ′とが各々係合して各々の部位に上面部と下面部を形成し表示体Ａを作製した。
【００４５】
図１２に示すように、該表示体Ａの展開物は、該裏面部７に第１側面部８を第１縦罫線ａを介して連接し、該第１側面部８に正面部９を第２縦罫線ｂを介して連接し、該正面部９に第２側面部１０を第３縦罫線ｃを介して連接し、該第２側面部１０に糊代部１１を第４縦罫線ｄを介して連接した。
【００４６】
更に、該裏面部７の上下に第１折込片１２、１２′を第１横罫線ｅ、ｅ′を介して連接し、該第１折込片１２、１２′の左右に凸部１２ａ、１２ａと凸部１２ａ′、１２ａ′を設け、該凸部１２ａ、１２ａと該凸部１２ａ′、１２ａ′の中間に凹部１２ｂ、１２ｂ′を有する凹型形状部１４、１４′を形成し、該正面部９の上下に第２折込片１３、１３′を第２横罫線ｆ、ｆ′を介して連接し、該第２折込片１３、１３′の左右に段差部１３ｂ、１３ｂと段差部１３ｂ′、１３ｂ′を設け、該段差部１３ｂ、１３ｂと該段差部１３ｂ′、１３ｂ′の中間に凸部１３ａ、１３ａ′を有する凸型形状部１５、１５´を形成した。
【００４７】
該表示体Ａの展開物をサック貼機でアクリル系エマルジョン合成樹脂接着剤を糊代部１１に塗布し、図１１に示す箱状物の形態にして、対向する第１・第２折込片１２、１３に設けられた前記凹型・凸型形状部１４、１５及び第１・第２折込片１２′、１３′に設けられた前記凹型・凸型形状部１４′、１５′とを相互に対向させ該凹型形状部１４と該凸型形状部１５、及び該凹型形状部１４′と該凸型形状部１５′とを折り込むことにより、該凹型形状部１４と凸型形状部１５、及び該凹型形状部１４′と凸型形状部１５′とが係合して各々の部位に上面部と下面部を形成し表示体Ａを作製した。
【００４８】
次に、図１３及び図１４に示すように複数の表示体Ａ同士を結合する結合部材Ｂは、所定の幅と長さを有する紙又はダンボ−ルからなる板状物に罫線を施して形成されている。
【００４９】
該結合部材Ｂの形態は、上端バンド部２０の一端に折り罫線を介して、付帯片２０ａ、２０ｂを設け、該上端バンド部２０に折り罫線を介して中間バンド部２１を連接し、更に該中間バンド部２１に折り罫線を介して下端バンド部２２が設けられている。
【００５０】
図１５及び図１６に示すように箱状物の複数の表示体Ａ同士は、該表示体Ａの下部に備えた結合用係止部３と他の表示体Ａの上部に備え結合用係止部３とに係止される結合部材Ｂにより結合され、更に図１５及び図３１に示すように脚部Ｃを結合したフロアースタンドパネルが形成される。
【００５１】
図１３に示す結合部材Ｂは、図１７及び図１８に示すように箱状物の複数の表示体Ａ同士を結合しやすいように、即ち結合部材Ｂを構成している中間バンド部２１と下端バンド部２２の境界線に罫線を入れず、該境界線を支点軸として中間バンド部２１に部分的に切刃を入れてコの字型の切片２７を設けた改良型の結合部材Ｂでもよい。
【００５２】
該改良型の結合部材Ｂはコの字型の切片２７の反発力により、下端バンド部２２が上端バンド部２０に対して傾斜して立ち上がるので箱状物の隙間部２３に差し込み易く、且つ差し込んだ時に確実に固定される。
【００５３】
また、上端バンド部２０に設けられている各々左右の付帯片２０ａ及び２０ｂを内側に折り曲げやすくなり、箱状物の複数の表示体Ａ同士が結合し易くなる。
【００５４】
また、図１３の結合部材Ｂの中間バンド部２１と下端バンド部２２を図１９に示すように変形して、図２０のような結合部材Ｂを作製し、図２１に示すようなフロアースタンドパネルを形成することもできる。
【００５５】
次に、図２２及び図２３に示すように、表示体Ａは所定の幅と長さを有する紙又はダンボールからなる板状物に罫線を施し、該罫線を介して折り曲げ、３次元形状に形成してなる箱状物であり、表示体Ａ同士が該表示体Ａの下部に備えた結合用係止部３に係止される他の表示体Ａの上部に備える結合部材Ｂにより結合され形成される。
【００５６】
即ち、該表示体Ａに一体化された枠状物の紙又はダンボールからなる結合部材Ｂにより結合して形成され、該表示体Ａの最下部に脚部Ｃが取り付けられているフロアースタンドパネルである。
【００５７】
また、図２４及び図２５に示すように、独立した１対のＬ字型に折り曲げた枠状物からなる結合部材Ｂを使用することもできる。その際、該結合部材Ｂは公知の接着剤により予め表示体Ａに接着しておくことが好ましい。
【００５８】
更に、図２６及び図２７に示すように、独立した１対のコの字型に折り曲げた枠状物からなる結合部材Ｂを使用することもできる。その際、該結合部材Ｂは公知の接着剤により予め表示体Ａに接着しておくことが好ましい。
【００５９】
次に、図２８から図３０に示すように表示体Ａは所定の幅と長さを有する紙又はダンボールからなる板状物に罫線を施し、該罫線を介して折り曲げ、３次元形状に形成してなる上部及び下部にフラップを備えた箱状物であり、表示体Ａ同士が該表示体Ａに一体化された上部及び下部のフラップが屋根型になった枠状物の紙又はダンボールからなる結合部材Ｂにより結合して形成される。
【００６０】
以上のように、本発明は単一の表示体Ａを該表示体Ａと一体となった結合部材Ｂまたは独立の結合部材Ｂにより、複数枚簡易的な方法で結合させ、安価で易廃棄処理性の優れたエコロジー対応型の大型展示用パネルであるフロアースタンドパネルを提供する。
【００６１】
【実施例】
次に実施例により、本発明を具体的に説明する。
【００６２】
＜実施例１＞
図１及び図２に示すような本発明のフロアースタンドパネルを作製するために、先ず坪量３５０ｇ／ｍ２のＬ判サイズの板紙（コートボール）を切断して寸法が高さ３０５ｍｍ×幅１８８ｍｍの一対の支持体２、２を作製し、該支持体２、２の先端からコの字型形状をした連結部材１のコの字の背面までの距離を１６９ｍｍの位置にして該支持体２、２の間に該連結部材１を挟みアクリル系エマルジョン合成樹脂接着剤を用いて接着させ、図３に示す結合部材Ｂを作製した。
【００６３】
次に、同じ板紙を用いて高さ２１０ｍｍ×幅２９０ｍｍの表示体Ａの片面に高さ１５０ｍｍ×幅２４０の板紙に幅方向に両端から夫々２０ｍｍ幅の位置に罫線を設け、更に中心部に向かって幅方向に５ｍｍの位置に罫線を形成し、該夫々の罫線を介して前記支持体２を差し込める５ｍｍ幅の開口部を有するように折り曲げて係止部３を作製し、表示体Ａ片面にアクリル系エマルジョン合成樹脂接着剤を用いて接着させ、図４に示す係止部３を備えた表示体Ａを作製した。
【００６４】
前記表示体Ａを３枚作製し、該表示体Ａの係止部３と前記結合部材Ｂを組合せ、更に脚部Ｃを取り付けることにより、図１及び図２に示すようなフロアースタンドパネルを作製した。
【００６５】
該フロアースタンドパネルは、前記の如く全て紙から作製されているので一般的な紙器加工技術で容易に対応でき、部材価格も安価で、廃棄処理が容易でエコロジー適性もよく、組み立ても解体も簡単で積み木感覚で組み立て解体ができるので何度もリサイクルができる汎用性のある大型のフロアースタンドパネルである。
【００６６】
＜実施例２＞
本発明の表示体Ａは、図５に示すように、坪量３５０ｇ／ｍ２のＬ判サイズの板紙（コートボール）を仕上り寸法が幅２９０ｍｍ×高さ３０５ｍｍ×奥行６０ｍｍになるように打ち抜き、アクリル系エマルジョン合成樹脂接着剤を用いてサック貼機で箱状物からなる表示体Ａである。
【００６７】
また、図６に示すように、該表示体Ａの展開物は、該裏面部７に第１側面部８を第１縦罫線ａを介して連接し、該第１側面部８に正面部９を第２縦罫線ｂを介して連接し、該正面部９に第２側面部１０を第３縦罫線ｃを介して連接し、該第２側面部１０に糊代部１１を第４縦罫線ｄを介して連接した。
【００６８】
更に、該裏面部７の上方に第１折込片５を第１横罫線ｅを介して連接し、該第１折込片５に凸部５ａと段差部５ｂを形成し、該正面部９の上方に第２折込片６を第２横罫線ｆを介して連接し、該第２折込片６に凸部６ａと段差部６ｂを形成した。
【００６９】
該表示体Ａの展開物をサック貼機でアクリル系エマルジョン合成樹脂接着剤を糊代部１１に塗布し、図５に示す箱状物の形態にして、対向する第１・第２折込片５、６に設けられた凸部５ａ、６ａと段差部５ｂ、６ｂとを相互に対向させ、該第１折込片５と該第２折込片６を折り込むことにより、凸部５ａと段差部６ｂ及び凸部６ａと段差部５ｂとが各々係合してこの部位に上面部を形成し表示体Ａを作製した。
【００７０】
次に、図１３に示すように坪量６００ｇ／ｍ２のＬ判サイズの板紙（コートボール）を仕上り寸法が幅５８ｍｍ×高さ１２０ｍｍ（展開寸法：上端バンド部２０の幅５８ｍｍ×長さ１２０ｍｍ、付帯片２０ａ、２０ｂの幅１５ｍｍ×長さ６０ｍｍ、中間バンド部２１の幅５８ｍｍ×長さ６０ｍｍ、下端バンド部２２の幅５８ｍｍ×長さ３０ｍｍ）になるように打ち抜き結合部材Ｂを作製した。
【００７１】
以上のような方法で表示体Ａを３個と結合部材Ｂを４個作製し、表示体Ａが該表示体Ａの下部に備えた結合用係止部３と他の表示体Ａの上部に備える結合用係止部３とに係止される結合部材Ｂにより結合され、該表示体Ａの最下部に図１５に示すように一対の脚体２４、２４に連結孔２５、２５を設け、該連結孔２５、２５に連結体２６を連結して作製されている脚部Ｃを取り付けたフロアースタンドパネルを作製した。
【００７２】
該フロアースタンドパネルは、前記の如く全て紙から作製されているので一般的な紙器加工技術で容易に対応でき、部材価格も安価で、廃棄処理が容易でエコロジー適性もよく、組み立ても解体も簡単で積み木感覚で組み立て解体ができるので何度もリサイクルができる汎用性のある大型のフロアースタンドパネルである。
【００７３】
＜実施例３＞
本発明のフロアースタンドパネルは、図７に示すように、表示体Ａの第１折込片と第２折込片の形態以外は実施例２と同様の形態をした箱状物からなる表示体Ａを作製した。
【００７４】
図８に示すように、該表示体Ａの展開物は、該裏面部７に第１側面部８を第１縦罫線ａを介して連接し、該第１側面部８に正面部９を第２縦罫線ｂを介して連接し、該正面部９に第２側面部１０を第３縦罫線ｃを介して連接し、該第２側面部１０に糊代部１１が第４縦罫線ｄを介して連接した。
【００７５】
更に、該裏面部７の上方に第１折込片１２を第１横罫線ｅを介して連接し、該第１折込片１２の左右に凸部１２ａ、１２ａと該凸部１２ａ、１２ａの中間に凹部１２ｂを有する凹型形状部１４を形成し、該正面部９の上方に第２折込片１３を第２横罫線ｆを介して連接し、該第２折込片１３の左右に段差部１３ｂ、１３ｂと該段差部１３ｂ、１３ｂの中間に凸部１３ａを有する凸型形状部１５を形成した。
【００７６】
該表示体Ａの展開物をサック貼機でアクリル系エマルジョン合成樹脂接着剤を糊代部１１に塗布し、図７に示す箱状物の形態にして、対向する第１・第２折込片１２、１３に設けられた前記凹型形状部１４と凸型形状部１５とを相互に対向させ該凹型形状部１４と凸型形状部１５を折り込むことにより、該凹型形状部１４と該凸型形状部１５とが係合してこの部位に上面部を形成し表示体Ａを作製した。
【００７７】
次に、結合部材Ｂは実施例２と同様に、図１３に示すように坪量６００ｇ／ｍ２のＬ判サイズの板紙（コートボール）を仕上り寸法が幅５８ｍｍ×高さ１２０ｍｍ（展開寸法：上端バンド部２０の幅５８ｍｍ×長さ１２０ｍｍ、付帯片２０ａ、２０ｂの幅１５ｍｍ×長さ６０ｍｍ、中間バンド部２１の幅５８ｍｍ×長さ６０ｍｍ、下端バンド部２２の幅５８ｍｍ×長さ３０ｍｍ）になるように打ち抜き結合部材Ｂを作製した。
【００７８】
以上のような方法で表示体Ａを３個と結合部材Ｂを４個作製し、表示体Ａが該表示体Ａの下部に備えた結合用係止部３と他の表示体Ａの上部に備える結合用係止部３とに係止される結合部材Ｂにより結合され、該表示体Ａの最下部に図１５に示すように一対の脚体２４、２４に連結孔２５、２５を設け、該連結孔２５、２５に連結体２６を連結し作製されている脚部Ｃを取り付けたフロアースタンドパネルを作製した。
【００７９】
該フロアースタンドパネルは、前記の如く全て紙から作製されているので一般的な紙器加工技術で容易に対応でき、部材価格も安価で、廃棄処理が容易でエコロジー適性もよく、組み立ても解体も簡単で積み木感覚で組み立て解体ができるので何度もリサイクルができる汎用性のある大型のフロアースタンドパネルである。
【００８０】
＜実施例４＞
本発明の表示体Ａは、図９に示すように、坪量３５０ｇ／ｍ２のＬ判サイズの板紙（コートボール）を仕上り寸法が幅２９０ｍｍ×高さ３０５ｍｍ×奥行６０ｍｍになるように打ち抜き、アクリル系エマルジョン合成樹脂接着剤を用いてサック貼機で箱状物からなる表示体Ａである。
【００８１】
図１０に示すように、該表示体Ａの展開物は、該裏面部７に第１側面部８を第１縦罫線ａを介して連接し、該第１側面部８に正面部９を第２縦罫線ｂを介して連接し、該正面部９に第２側面部１０を第３縦罫線ｃを介して連接し、該第２側面部１０に糊代部１１を第４縦罫線ｄを介して連接した。
【００８２】
更に、該裏面部７の上下に第１折込片５、５′を第１横罫線ｅ、ｅ′を介して連接し、該第１折込片５、５′に凸部５ａ、５ａ′と段差部５ｂ、５ｂ′を形成し、該正面部９の上下に第２折込片６、６′を第２横罫線ｆ、ｆ′を介して連接し、該第２折込片６、６′に凸部６ａ、６ａ′と段差部６ｂ、６ｂ′を形成した。
【００８３】
該表示体Ａの展開物をサック貼機でアクリル系エマルジョン合成樹脂接着剤を糊代部１１に塗布し、図９に示す箱状物の形態にして、対向する第１・第２折込片５、６に設けられた凸部５ａ、６ａと段差部５ｂ、６ｂ及び第１・第２折込片５′、６′に設けられた凸部５ａ′、６ａ′と段差部５ｂ′、６ｂ′とを相互に対向させ、該第１折込片５と該第２折込片６、及び該第１折込片５′と該第２折込片６′を折り込むことにより、凸部５ａと段差部６ｂ及び凸部６ａと段差部５ｂとが各々係合し、更に凸部５ａ′と段差部６ｂ′及び凸部６ａ′と段差部５ｂ′とが各々係合して各々の部位に上面部と下面部を形成し表示体Ａを作製した。
【００８４】
次に、結合部材Ｂは実施例２及び実施例３と同様に、図１３に示すように坪量６００ｇ／ｍ２のＬ判サイズの板紙（コートボール）を仕上り寸法が幅５８ｍｍ×高さ１２０ｍｍ（展開寸法：上端バンド部２０の幅５８ｍｍ×長さ１２０ｍｍ、付帯片２０ａ、２０ｂの幅１５ｍｍ×長さ６０ｍｍ、中間バンド部２１の幅５８ｍｍ×長さ６０ｍｍ、下端バンド部２２の幅５８ｍｍ×長さ３０ｍｍ）になるように打ち抜き結合部材Ｂを作製した。
【００８５】
以上のような方法で表示体Ａを３個と結合部材Ｂを４個作製し、表示体Ａが該表示体Ａの下部に備えた結合用係止部３と他の表示体Ａの上部に備える結合用係止部３とに係止される結合部材Ｂにより、図１６に示すように結合され、更に図３１に示すように一対の脚部Ｃを設けたフロアースタンドパネルを作製した。
【００８６】
該フロアースタンドパネルは、前記の如く全て紙から作製されているので一般的な紙器加工技術で容易に対応でき、部材価格も安価で、廃棄処理が容易でエコロジー適性もよく、組み立ても解体も簡単で積み木感覚で組み立て解体ができるので何度もリサイクルができる汎用性のある大型のフロアースタンドパネルである。
【００８７】
＜実施例５＞
本発明の表示体Ａは、図１１に示すように、該表示体Ａの第１折込片１２と第２折込片１３の形態以外は実施例４と同様の形態をした箱状物からなる表示体Ａである。
【００８８】
図１２に示すように、該表示体Ａの展開物は、該裏面部７に第１側面部８を第１縦罫線ａを介して連接し、該第１側面部８に正面部９を第２縦罫線ｂを介して連接し、該正面部９に第２側面部１０を第３縦罫線ｃを介して連接し、該第２側面部１０に糊代部１１を第４縦罫線ｄを介して連接した。
【００８９】
更に、該裏面部７の上下に第１折込片１２、１２′を第１横罫線ｅ、ｅ′を介して連接し、該第１折込片１２、１２′の左右に凸部１２ａ、１２ａと凸部１２ａ′、１２ａ′を設け、該凸部１２ａ、１２ａと該凸部１２ａ′、１２ａ′の中間に凹部１２ｂ、１２ｂ′を有する凹型形状部１４、１４′を形成し、該正面部９の上下に第２折込片１３、１３′を第２横罫線ｆ、ｆ′を介して連接し、該第２折込片１３、１３´の左右に段差部１３ｂ、１３ｂと段差部１３ｂ′、１３ｂ′を設け、該段差部１３ｂ、１３ｂと該段差部１３ｂ′、１３ｂ′の中間に凸部１３ａ、１３ａ′を有する凸型形状部１５、１５′を形成した。
【００９０】
該表示体Ａの展開物をサック貼機でアクリル系エマルジョン合成樹脂接着剤を糊代部１１に塗布し、図１１に示す箱状物の形態にして、対向する第１・第２折込片１２、１３に設けられた前記凹型・凸型形状部１４、１５及び第１・第２折込片１２′、１３′に設けられた前記凹型・凸型形状部１４′、１５′とを相互に対向させ該凹型形状部１４と該凸型形状部１５、及び該凹型形状部１４′と該凸型形状部１５′とを折り込むことにより、該凹型形状部１４と凸型形状部１５、及び該凹型形状部１４′と凸型形状部１５′とが係合して各々の部位に上面部と下面部を形成し表示体Ａを作製した。
【００９１】
次に、実施例２、実施例３、実施例４と同様に、図１３に示すように坪量６００ｇ／ｍ２のＬ判サイズの板紙（コートボール）を仕上り寸法が幅５８ｍｍ×高さ１２０ｍｍ（展開寸法：上端バンド部２０の幅５８ｍｍ×長さ１２０ｍｍ、付帯片２０ａ、２０ｂの幅１５ｍｍ×長さ６０ｍｍ、中間バンド部２１の幅５８ｍｍ×長さ６０ｍｍ、下端バンド部２２の幅５８ｍｍ×長さ３０ｍｍ）になるように打ち抜き結合部材Ｂを作製した。
【００９２】
以上のような方法で表示体Ａを３個と結合部材Ｂを４個作製し、表示体Ａが該表示体Ａの下部に備えた結合用係止部３と他の表示体Ａの上部に備える結合用係止部３とに係止される結合部材Ｂにより、図１６に示すように結合され、更に図３１に示すように一対の脚部Ｃを設けたフロアースタンドパネルを作製した。
【００９３】
該フロアースタンドパネルは、前記の如く全て紙から作製されているので一般的な紙器加工技術で容易に対応でき、部材価格も安価で、廃棄処理が容易でエコロジー適性もよく、組み立ても解体も簡単で積み木感覚で組み立て解体ができるので何度もリサイクルができる汎用性のある大型のフロアースタンドパネルである。
【００９４】
＜実施例６＞
本発明の結合部材Ｂは、図１３に示す該結合部材Ｂを表示体Ａ同士の結合を容易にするために改良したもので、該結合部材Ｂの寸法や材料は実施例２乃至実施例５と同一にした。
【００９５】
図１７及び図１８に示すように箱状物の複数の表示体Ａ同士を結合しやすいように、該結合部材Ｂを構成している中間バンド部２１と下端バンド部２２の境界線に罫線を入れず、該境界線を支点軸として中間バンド部２１に部分的に切刃を入れて逆コの字型の切片２７を設けた改良型の結合部材Ｂを作製した。
【００９６】
該改良型の結合部材Ｂはコの字型の切片２７の反発力により、下端バンド部２２が上端バンド部２０に対して傾斜して立ち上がるので箱状物の隙間部２３に差し込み易く、且つ差し込んだ時に確実に固定された。
【００９７】
また、上端バンド部２０に設けられている各々左右の付帯片２０ａ及び２０ｂを内側に折り曲げやすくなり、箱状物の複数の表示体Ａ同士が結合し易くなった。
【００９８】
＜実施例７＞
本発明の結合部材Ｂは、図１３に示す結合部材Ｂの中間バンド部２１と下端バンド部２２の寸法を変更し、図１９に示すように中間バンド部２９と下端バンド部３０に変形し、組み立てた際、図２０のような形態にした。
【００９９】
表示体Ａ同士の結合を容易にするために改良したもので、図１９に示すように坪量６００ｇ／ｍ２のＬ判サイズの板紙（コートボール）を仕上り寸法が幅５８ｍｍ×高さ１２０ｍｍ（展開寸法：上端バンド部２８の幅５８ｍｍ×長さ１２０ｍｍ、付帯片２８ａ、２８ｂの幅１５ｍｍ×長さ６０ｍｍ、中間バンド部２９の幅５８ｍｍ×長さ３０ｍｍ、下端バンド部３０の幅５８ｍｍ×長さ６０ｍｍ）になるように打ち抜き結合部材Ｂを作製した。
【０１００】
以上のような方法で作製した結合部材Ｂを使用して、図２１に示すように該表示体Ａ同士を結合し、一対の脚部Ｃも設けたフロアースタンドパネルを作製した。
【０１０１】
＜実施例８＞
本発明の表示体Ａは、図２３に示すように、坪量３５０ｇ／ｍ２のＬ判サイズの板紙（コートボール）を仕上り寸法が幅２９０ｍｍ×高さ２５０ｍｍ×奥行６０ｍｍになるように打ち抜き、アクリル系エマルジョン合成樹脂接着剤を用いて特殊な底貼機で図２２に示すように枠状物からなる結合部材Ｂが一体化された箱状物製の表示体Ａである。
【０１０２】
図２３に示すように、該表示体Ａの展開物は、第１側面部４０に裏面部４１を第１縦罫線ａを介して連接し、該裏面部４１に第２側面部４２を第２縦罫線ｂを介して連接し、該第２側面部４２に正面部４３を第３縦罫線ｃを介して連接し、該正面部４３に糊代部４４を第４縦罫線ｄを介して連接した。
【０１０３】
更に、該第１側面部４０の上下に第１フラップ先端部４０ａ、４０ａ′を第３横罫線ｇ、ｇ′を介して連接し、該裏面部４１の上下に第２フラップ先端部４１ａ、４１ａ′を第１横罫線ｅ、ｅ′を介して連接し、該第２側面部４２の上下に第３フラップ先端部４２ａ、４２ａ′を第４横罫線ｈ、ｈ′を介して連接し、該正面部４３の上下に第４フラップ先端部４３ａ、４３ａ′を第２横罫線ｆ、ｆ′を介して連接した。
【０１０４】
次に、該第１フラップ先端部４０ａ、該第２フラップ先端部４１ａ、該第３フラップ先端部４２ａ、該第４フラップ先端部４３ａの夫々フラップ先端部に高さ方向半分の位置に夫々第３横罫線ｇ、第１横罫線ｅ、第４横罫線ｈ、第２横罫線ｆに沿って、折り込み横罫線ｉ、折り込み横罫線ｊ、折り込み横罫線ｋ、折り込み横罫線ｌを設け、各々の折り込み横罫線を介して各々フラップ先端部を外側に突出させて図２２に示すように表示体Ａの上部は枠状物の結合部材Ｂが一体化された。
【０１０５】
また、該第１フラップ先端部４０ａ′、該第２フラップ先端部４１ａ′、該第３フラップ先端部４２ａ′、該第４フラップ先端部４３ａ′の夫々フラップ先端部に高さ方向半分の位置に夫々第３横罫線ｇ′、第１横罫線ｅ′、第４横罫線ｈ′、第２横罫線ｆ′に沿って、折り込み横罫線ｉ′、折り込み横罫線ｊ′、折り込み横罫線ｋ′、折り込み横罫線ｌ′を設け、各々の折り込み横罫線を介して各々フラップ先端部を内側に折り込み結合用係止部３を設けた。
【０１０６】
次に、表示体Ａ同士を結合し易くするため、該第１フラップ先端部４０ａの幅Ｎ１は、該第１フラップ先端部４０ａ′の幅Ｎ１′より若干小さく、該第２フラップ先端部４１ａ′の幅Ｎ２は、該第２フラップ先端部４１ａの幅Ｎ２′より若干小さく、該第３フラップ先端部４２ａの幅Ｎ３は、該第３フラップ先端部４２ａ′の幅Ｎ３′より若干小さく、該第４フラップ先端部４３ａの幅Ｎ４は、該第４フラップ先端部４３ａ′の幅Ｎ４′より若干小さく形成した。
【０１０７】
該表示体Ａ同士の結合は、該表示体Ａの下部に備えた結合用係止部３に係止される他の表示体Ａの上部に備える結合部材Ｂにより結合され、該表示体Ａの最下部に脚部Ｃが取り付けられているフロアースタンドパネルを作製した。
【０１０８】
＜実施例９＞
本発明の結合部材Ｂは、図２５（イ）、図２５（ロ）に示すように、坪量６００ｇ／ｍ２のＬ判サイズの板紙（コートボール）を仕上り寸法が幅５８ｍｍ×高さ５０ｍｍ（展開寸法：第１枠片５０の幅５８ｍｍ×高さ５０ｍｍ、第２枠片５１の幅２８８ｍｍ×高さ５０ｍｍ）になるように打ち抜き一対の結合部材Ｂを作製し、アクリル系エマルジョン合成樹脂接着剤を用いて特殊な底貼機で図２４に示すように表示体Ａに一体化された結合部材Ｂである。
【０１０９】
＜実施例１０＞
本発明の結合部材Ｂは、図２７（イ）、図２７（ロ）に示すように、坪量６００ｇ／ｍ２のＬ判サイズの板紙（コートボール）を仕上り寸法が幅５８ｍｍ×高さ５０ｍｍ（展開寸法：第１枠片５２の幅５８ｍｍ×高さ５０ｍｍ、第２枠片５３の幅５８ｍｍ×高さ５０ｍｍ、第３枠片５４の幅５８ｍｍ×高さ５０ｍｍ）になるように打ち抜き一対の結合部材Ｂを作製し、アクリル系エマルジョン合成樹脂接着剤を用いて特殊な底貼機で図２６に示すように表示体Ａに一体化された結合部材Ｂである。
【０１１０】
＜実施例１１＞
本発明の表示体Ａは、図３０に示すように、坪量３５０ｇ／ｍ２のＬ判サイズの板紙（コートボール）を仕上り寸法が幅２９０ｍｍ×高さ２５０ｍｍ×奥行６０ｍｍになるように打ち抜き、アクリル系エマルジョン合成樹脂接着剤を用いて特殊な底貼機で図２８、図２９（イ）、図２９（ロ）に示すように屋根型の枠状物からなる結合部材Ｂが一体化された屋根型をした箱状物の表示体Ａである。
【０１１１】
図３０に示すように、該表示体Ａの展開物は、第１側面部６０に裏面部６１を第１縦罫線ａを介して連接し、該裏面部６１に第２側面部６２を第２縦罫線ｂを介して連接し、該第２側面部６２に正面部６３を第３縦罫線ｃを介して連接し、該正面部６３に糊代部６４を第４縦罫線ｄを介して連接した。
【０１１２】
更に、該第１側面部６０の上下に同じ大きさの第１フラップ先端部６０ａ、６０ａ′を第３横罫線ｇ、ｇ′を介して連接し、該裏面部６１の上下に同じ大きさの第２フラップ先端部６１ａ、６１ａ′を第１横罫線ｅ、ｅ′を介して連接し、該第２側面部６２の上下に同じ大きさ第３フラップ先端部６２ａ、６２ａ′を第４横罫線ｈ、ｈ′を介して連接し、該正面部６３の上下に同じ大きさ第４フラップ先端部６３ａ、６３ａ′を第２横罫線ｆ、ｆ′を介して連接した。
【０１１３】
次に、表示体Ａの上部である該第１フラップ先端部６０ａ、該第３フラップ先端部６２ａの夫々フラップ先端部左右に貼着片６０ｂ、６０ｂ及び６２ｂ、６２ｂを設け、また、下部である該第１フラップ先端部６０ａ′、該第３フラップ先端部６２ａ′の夫々フラップ先端部左右に貼着片６０ｂ′、６０ｂ′及び６２ｂ′、６２ｂ′を設け、上部の該貼着片６０ｂ、６０ｂ及び６２ｂ、６２ｂと下部の該貼着片６０ｂ′、６０ｂ′及び６２ｂ′、６２ｂ′に公知のアクリル系エマルジョン合成樹脂接着剤を塗布し、上部は屋根型の枠状物からなる結合部材Ｂを作製し、下部は内側に折り込まれた屋根型の結合用係止部３を設けた。
【０１１４】
公知のアクリル系エマルジョン合成樹脂接着剤を用いて特殊な底貼機で図２８に示すように屋根型の枠状物を内側に折り込み結合用係止部３を設けた。
【０１１５】
該表示体Ａ同士の結合は、該表示体Ａの下部に備えた結合用係止部３に係止される他の表示体Ａの上部に備える結合部材Ｂにより結合され、該表示体Ａの最下部に脚部Ｃが取り付けられているフロアースタンドパネルを作製した。
【０１１６】
【発明の効果】
本発明のフロアースタンドパネルは、単一の表示体を独立の結合部材または該表示体と一体となった結合部材により、複数枚簡易的な方法で結合させ、全て紙から作製されているので一般的な紙器加工技術で容易に対応でき、部材価格も安価で、廃棄処理が容易でエコロジー適性もよく、組み立ても解体も簡単で積み木感覚で組み立て解体ができるので何度もリサイクルできる汎用性のある大型のフロアースタンドパネルを提供する。
【図面の簡単な説明】
【図１】本発明に係る板状物の表示体同士を結合したフロアースタンドパネルの第１実施例を示す斜視図である。
【図２】図１のＸ−Ｘ側断面図である。
【図３】本発明に係る結合部材の第１実施例を示す斜視図である。
【図４】本発明に係る係止部を備えた表示体の第１実施例を示す斜視図である。
【図５】本発明に係る表示体の第２実施例を示す斜視図である。
【図６】図５の展開図である。
【図７】本発明に係る表示体において図５と異なるフラップ形態を備えた第３実施例を示す斜視図である。
【図８】図７の展開図である。
【図９】本発明に係る表示体Ａの第４実施例を示す斜視図であり、
【図１０】図９の展開図である。
【図１１】本発明に係る表示体Ａにおいて図９と異なるフラップ形態を備えた第５実施例を示す斜視図である。
【図１２】図１１の展開図である。
【図１３】本発明に係る結合部材Ｂの第２、第３、第４、第５実施例を示す展開図である。
【図１４】図１３の斜視図である。
【図１５】本発明に係る表示体Ａ同士を結合部材Ｂにより組み立てる状態を示す第２実施例及び第３実施例の斜視図である。
【図１６】本発明に係る表示体同士を結合部材により組み立てる状態を示す第４実施例及び第５実施例の斜視図である。
【図１７】図１３の改良型を示す第６実施例の斜視図である。
【図１８】図１７の側断面図である。
【図１９】本発明に係る結合部材の第７実施例を示す展開図である。
【図２０】図１９を組み立てた斜視図である。
【図２１】本発明に係る表示体を結合部材により組み立てる状態を示す第７実施例の斜視図である。
【図２２】本発明に係る表示体同士が該表示体に一体化された枠状物の結合部材により結合される寸前の状態を示す第８実施例の斜視図である。
【図２３】図２２の展開図である。
【図２４】本発明に係る表示体に独立した１対の枠状物からなる結合部材を取り付けた状態を示す第９実施例の斜視図である。
【図２５】図２５（イ）及び図２５（ロ）は、図２４の１対の枠状物の第９実施例の展開図である。
【図２６】本発明に係る表示体に独立した１対の枠状物からなる結合部材を取り付けた状態を示す第１０実施例の斜視図である。
【図２７】図２７（イ）及び図２７（ロ）は、図２６の１対の枠状物の第１０実施例の展開図である。
【図２８】本発明に係る表示体同士が該表示体に一体化された枠状物の結合部材により結合される寸前の状態を示す第１１実施例の斜視図である。
【図２９】図２９（イ）及び図２９（ロ）は図２８の正面図と側面図である。
【図３０】図２８の展開図である。
【図３１】本発明に係る箱状物の表示体Ａ同士を結合し、脚部Ｃを取り付けたフロアースタンドパネルを示す第２実施例乃至第５実施例の斜視図である。
【符号の説明】
Ａ・・・表示体
Ｂ・・・結合部材
Ｃ・・・脚部
１・・・連結部材
２・・・支持体
３・・・結合用係止部
５・・・第１折込片  ５ａ・・・凸部  ５ｂ・・・段差部
５ａ′・・・凸部  ５ｂ′・・・段差部
６・・・第２折込片  ６ａ・・・凸部  ６ｂ・・・段差部
６ａ′・・・凸部  ６ｂ′・・・段差部
７・・・正面部
８・・・第１側面部
９・・・裏面部
１０・・・第２側面部
１１・・・糊代部
１２・・・第１折込片  １２ａ・・・凸部  １２ｂ・・・凹部
１２ａ′・・・凸部  １２ｂ′・・・凹部
１３・・・第２折込片  １３ａ・・・凸部  １３ｂ・・・段差部
１３ａ′・・・凸部  １３ｂ′・・・段差部
１４・・・凹型形状部  １４´・・・凹型形状部
１５・・・凸型形状部  １５´・・・凸型形状部
ａ・・・第１縦罫線  ｂ・・・第２縦罫線  ｃ・・・第３縦罫線
ｄ・・・第４縦罫線  ｅ・・・第１横罫線  ｆ・・・第２横罫線
ｇ・・・第３横罫線  ｈ・・・第４横罫線  ｉ・・・第１折り返し横罫線
ｊ・・・第２折り返し横罫線  ｋ・・・第３折り返し横罫線
ｌ・・・第４折り返し横罫線
ｅ′・・・第１横罫線  ｆ′・・・第２横罫線  ｇ′・・・第３横罫線
ｈ′・・・第４横罫線  ｉ′・・・第１折り返し横罫線  ｊ′・・・第２折り返し横罫  線  ｋ′・・・第３折り返し横罫線  ｌ′・・・第４折り返し横罫線
２０・・・上端バンド部  付帯片・・・２０ａ  付帯片・・・２０ｂ
２１・・・中間バンド部
２２・・・下端バンド部
２３・・・隙間部
２４・・・脚体
２５・・・連結孔
２６・・・連結体
２７・・・切片
２８・・・上端バンド部  付帯片・・・２８ａ  付帯片・・・２８ｂ
２９・・・中間バンド部
３０・・・下端バンド部
４０・・・第１側面部  ４０ａ・・・第１フラップ先端部
４０ａ′・・・第１フラップ先端部
４１・・・正面部  ４１ａ・・・第２フラップ先端部
４１ａ′・・・第２フラップ先端部
４２・・・第２側面部  ４２ａ・・・第３フラップ先端部
４２ａ′・・・第３フラップ先端部
４３・・・裏面部  ４３ａ・・・第４フラップ先端部
４３ａ′・・・第４フラップ先端部
４４・・・糊代部
Ｎ１・・・第１フラップ先端部幅  Ｎ２・・・第２フラップ先端部幅
Ｎ３・・・第３フラップ先端部幅  Ｎ４・・・第４フラップ先端部幅
Ｎ１′・・・第１フラップ先端部幅  Ｎ２′・・・第２フラップ先端部幅
Ｎ３′・・・第３フラップ先端部幅  Ｎ４′・・・第４フラップ先端部幅
５０・・・第１枠片
５１・・・第２枠片
５２・・・第１枠片
５３・・・第２枠片
５４・・・第３枠片
６０・・・第１側面部  ６０ａ・・・第１フラップ先端部  ６０ｂ・・・貼着片  ６０  ａ′・・・第１フラップ先端部  ６０ｂ′・・・貼着片
６１・・・正面部  ６１ａ・・・第２フラップ先端部  ６１ａ′・・・第２フラップ先  端部
６２・・・第２側面部  ６２ａ・・・第３フラップ先端部  ６２ｂ・・・貼着片  ６２  ａ′・・・第３フラップ先端部  ６２ｂ′・・・貼着片
６３・・・裏面部  ６３ａ・・・第４フラップ先端部
６３ａ′・・・第４フラップ先端部
６４・・・糊代部
【図１】
2004219798.tif 000003
【図２】
2004219798.tif 000004
【図３】
2004219798.tif 000005
【図４】
2004219798.tif 000006
【図５】
2004219798.tif 000007
【図６】
2004219798.tif 000008
【図７】
2004219798.tif 000009
【図８】
2004219798.tif 000010
【図９】
2004219798.tif 000011
【図１０】
2004219798.tif 000012
【図１１】
2004219798.tif 000013
【図１２】
2004219798.tif 000014
【図１３】
2004219798.tif 000015
【図１４】
2004219798.tif 000016
【図１５】
2004219798.tif 000017
【図１６】
2004219798.tif 000018
【図１７】
2004219798.tif 000019
【図１８】
2004219798.tif 000020
【図１９】
2004219798.tif 000021
【図２０】
2004219798.tif 000022
【図２１】
2004219798.tif 000023
【図２２】
2004219798.tif 000024
【図２３】
2004219798.tif 000025
【図２４】
2004219798.tif 000026
【図２５】
2004219798.tif 000027
【図２６】
2004219798.tif 000028
【図２７】
2004219798.tif 000029
【図２８】
2004219798.tif 000030
【図２９】
2004219798.tif 000031
【図３０】
2004219798.tif 000032
【図３１】
2004219798.tif 000033